(57)【要約】  本発明は、印刷基材の送り機構を有する、インクジェット画像を形成するためのプリンタに関する。当該プリンタは、印刷基材を搬送方向に動かすための送り機構を有する。送り機構は、印刷基材の第１の面と係合して前記印刷基材に駆動力を加えるための供給ローラーと、該供給ローラーの反対側に配置された加圧ローラーを含む。加圧ローラーはテクスチャ外面を有し、該テクスチャは動作時に前記印刷基材の第２の面と回転接触する。前記外面のテクスチャは複数の突起部を備える。本発明の加圧ローラーは、ホットメルトインクの不規則な結晶化に関連する印刷アーチファクトを低減する。
2015535208.tif 000002
【特許請求の範囲】
【請求項１】
印刷基材を搬送方向に動かすための送り機構を有する、インクジェット画像を形成するためのプリンタであって、
前記送り機構は、前記印刷基材の第１の面と係合して前記印刷基材に駆動力を加えるための供給ローラーと、該供給ローラーの反対側に配置された加圧ローラーであって、テクスチャ外面を有し、該テクスチャは動作時に前記印刷基材の第２の面と回転接触する、加圧ローラーと、を含み、
前記外面のテクスチャは複数の突起部を備え、
前記加圧ローラーのテクスチャ外面は球状セグメントの集合体を含み、該集合体における球状セグメントは互いに隣接して配置され、
前記複数の突起部は前記球状セグメントの集合体の外面により提供され、
前記ホットメルトプリンタは、前記印刷基材の第２の面にインクジェット画像を提供するための印刷ステーションをさらに含み、該印刷ステーションは前記送り機構の下流に配置されている、プリンタ。
【請求項２】
前記プリンタはホットメルトインクジェットプリンタである、請求項１に記載のプリンタ。
【請求項３】
前記加圧ローラーはフィルムを含み、該フィルムは前記テクスチャ外面を提供する、請求項１に記載のプリンタ。
【請求項４】
前記加圧ローラーのテクスチャ外面はビーズの集合体を含み、該ビーズのそれぞれは実質的に球状であり、前記集合体におけるビーズは互いに隣接して配置され、前記複数の突起部は前記ビーズの集合体の外面により提供される、請求項１に記載のプリンタ。
【請求項５】
前記ビーズの平均径は０．０５ｍｍ〜０．８ｍｍであり、より好ましくは０．１ｍｍ〜０．４ｍｍである、請求項４に記載のプリンタ。
【請求項６】
前記供給ローラーは、前記印刷ステーションの印刷面上で前記基材を前記搬送方向に間欠的に送るように適合されている、請求項１に記載のプリンタ。
【請求項７】
前記送り機構は複数の加圧ローラーを含み、該複数の加圧ローラーのそれぞれは、動作時に前記印刷基材の第２の面と回転接触するテクスチャ外面を有する、請求項１に記載のプリンタ。
【請求項８】
ホットメルトインクジェット印刷装置においてインクジェット画像を形成するための方法であって、
ａ）供給ユニットから印刷ステーションに印刷基材を供給する工程と、
ｂ）供給ローラーと加圧ローラーとの間のニップにより前記印刷基材を送る工程であって、前記加圧ローラーはテクスチャ外面を有し、該テクスチャは前記印刷基材の第２の面と回転接触し、前記外面のテクスチャは複数の突起部を備え、前記加圧ローラーのテクスチャ外面は球状セグメントの集合体を含み、該集合体における球状セグメントは互いに隣接して配置され、前記複数の突起部は前記球状セグメントの集合体の外面により提供される、工程と、
ｃ）前記印刷基材の第２の面にインクジェット画像を提供する工程と、
を含む方法。
【請求項９】
ホットメルトインクジェット装置で用いる印刷基材の送り機構であって、当該送り機構は、
前記印刷基材の第１の面と係合して前記印刷基材に駆動力を加えるための供給ローラーと、
前記供給ローラーの反対側に配置された加圧ローラーであって、テクスチャ外面を有し、該テクスチャは動作時に前記印刷基材の第２の面と回転接触する、加圧ローラーと、
を含み、
前記外面のテクスチャは複数の突起部を備え、
前記加圧ローラーのテクスチャ外面は球状セグメントの集合体を含み、該集合体における球状セグメントは互いに隣接して配置され、
前記複数の突起部は前記球状セグメントの集合体の外面により提供される、送り機構。
【請求項１０】
前記供給ローラーは、印刷ステーションの印刷面上で前記基材を前記搬送方向に間欠的に送るように適合され、前記印刷ステーションは前記送り機構の下流に配置されている、請求項９に記載の送り機構。
【請求項１１】
印刷基材上のホットメルトインクの結晶化パターンを乱さないようにするための送り機構の使用であって、
前記送り機構は、前記送り機構の下流で前記印刷基材に前記ホットメルトインクを印刷するように適合された印刷ステーションの上流で前記印刷基材を駆動するように適合されており、
前記送り機構は、前記印刷基材の第１の面と係合して前記印刷基材に駆動力を加えるための供給ローラーと、該供給ローラーの反対側に配置された加圧ローラーであって、テクスチャ外面を有し、該テクスチャは動作時に前記印刷基材の第２の面と回転接触する、加圧ローラーと、を含み、
前記外面のテクスチャは複数の突起部を備える、使用。
【発明の詳細な説明】
【技術分野】
【０００１】
本発明は、印刷基材の送り機構を有する、インクジェット画像を形成するためのホットメルトプリンタに関する。本発明はさらにインクジェット画像を形成するための方法に関する。本発明はさらにホットメルトインクジェット装置で用いる印刷基材の送り機構に関する。
【背景技術】
【０００２】
ホットメルトインクを印刷するための走査型プリンタでは、プリントヘッドを過ぎた特定の方向に紙又は任意の他の印刷基材を送り、印刷基材がプリントヘッドに走査されるようにするのに供給ニップ（feed  nip）が頻繁に用いられている。プリントヘッドは供給ニップの下流に位置している。供給ニップはシートを駆動するための供給ローラーと、加圧ローラーとにより定義される。従って、良好な画質を得るためには、プリントヘッドに対してシートを動かすシート送り工程の速度又は長さを高精度で制御しなければならない。例えば、インクジェットプリンタの一般的な設定では、複数のノズルを有するプリントヘッドがキャリッジに搭載され、キャリッジは、幾つかのピクセル線で構成される画像スワスがプリントヘッドの各パスにおいてシートに印刷されるように、印刷基材のシートに亘ってシート送り方向に垂直な主走査方向に移動する。そして、前のスワスと正確に隣接する位置に次のスワスを印刷できるように、供給ニップによりシートがスワスの幅だけ送られる。
【０００３】
供給ニップの加圧ローラーは、一般に平滑なゴムの外面を有し、該外面は供給ニップの下流でインクジェット画像が形成される印刷基材の表面と回転接触する。印刷基材の表面のある領域内のインクジェット画像において印刷アーチファクトが顕在化することが分かった。その領域は、印刷基材の表面上にホットメルトインクが適用される前に加圧ローラーと接触した領域である。特に、その領域では、ホットメルトインクの不均一な結晶化パターンによりインクジェット画像の光沢が害されていることが観察された。ミクロレベルでのインクの不均一な結晶化パターンは、インクジェット画像の光沢バンディングとしてマクロレベルで顕在化する。加圧ローラーは、ミクロレベルで印刷基材の表面を変形する及び／又は汚染すると考えられる。
【先行技術文献】
【特許文献】
【０００４】
【特許文献１】米国特許第５３２００２４号明細書
【発明の概要】
【課題を解決するための手段】
【０００５】
従って、本発明は、印刷基材の送り機構を有する、ホットメルトインクを用いてインクジェット画像を形成するためのプリンタを提供することを目的とする。当該プリンタでは、上記の課題が緩和される。
【０００６】
上記の目的は、印刷基材を搬送方向に動かすための送り機構を有する、インクジェット画像を形成するためのプリンタにより達成される。前記送り機構は、前記印刷基材の第１の面と係合して前記印刷基材に駆動力を加えるための供給ローラーと、該供給ローラーの反対側に配置された加圧ローラーであって、テクスチャ外面を有し、該テクスチャは動作時に前記印刷基材の第２の面と回転接触する、加圧ローラーと、を含む。前記外面のテクスチャは複数の突起部を備え、前記加圧ローラーのテクスチャ外面は球状セグメントの集合体を含み、該集合体における球状セグメントは互いに隣接して配置され、前記複数の突起部は前記球状セグメントの集合体の外面により提供され、前記ホットメルトプリンタは、前記印刷基材の第２の面にインクジェット画像を提供するための印刷ステーションをさらに含み、該印刷ステーションは前記送り機構の下流に配置されている。
【０００７】
１つの大きな接触領域を提供する平滑な外面と比較して、前記複数の突起部は、印刷基材の第２の面と接触する複数の小さな接触領域を動作時に提供する。加圧ローラーのテクスチャ外面により、ホットメルトインクの不均一な結晶化に関連する印刷アーチファクトが減少することが分かった。
【０００８】
突起部は少なくとも５０ミクロン突き出ていることが好ましい。その結果、小さな接触領域は時間的に比較的一定であり実質的に増加しないことが分かった。突起部が５０ミクロンより小さいと、接触領域に隣接する非接触領域に紙粉等の汚染物質が充満し得る。
【０００９】
前記プリンタの一実施形態では、前記プリンタはホットメルトインクジェットプリンタである。加圧ローラーのテクスチャ外面により、ホットメルトインクジェットプリンタのホットメルトインクの不規則な結晶化に関連する印刷アーチファクトが減少することが具体的に分かった。
【００１０】
前記プリンタの一実施形態では、前記加圧ローラーはフィルムを含み、該フィルムは前記テクスチャ外面を提供する。該フィルムは、例えば接着剤を用いることにより加圧ローラーの外面に簡単に取り付けられ得る。外側フィルム（又は外面層）は、加圧ローラーのベースローラーから独立してテクスチャ外面のテクスチャを提供する。このように、平滑な外面を有する一般的な加圧ローラーと、テクスチャフィルムとで簡便迅速なアセンブリを構成することができるため、本発明に従って加圧ローラーの外面が効果的に適合される。
【００１１】
本発明に係るプリンタでは、前記加圧ローラーのテクスチャ外面は球状セグメントの集合体を含み、該集合体における球状セグメントは互いに隣接して配置され、前記複数の突起部は前記球状セグメントの集合体の外面により提供されている。球状セグメントは、規定の接触領域を提供するボール、ビーズ、半球又は任意の他の球形のものであり得る。球状セグメントは、送り機構の供給ニップにおける接触圧の変化とは無関係に規定の接触領域を提供する。
【００１２】
前記プリンタのさらなる実施形態では、前記加圧ローラーのテクスチャ外面はビーズの集合体を含み、該ビーズのそれぞれは実質的に球状であり、該集合体におけるビーズは互いに隣接して配置され、前記複数の突起部は前記ビーズの集合体の外面により提供されている。集合体におけるビーズは、ビーズの高密度パッキングを提供する単一の層で構成されていることが好ましい。ビーズのパッキングはマトリックス状等の規則的なものであってもよいし、不規則なものであってもよい。何故なら、規則的なパッキングは本発明にとって必要不可欠なものではないからである。ビーズはガラスビーズであってもよいし、金属ビーズであってもよいし、球状を提供するのに適した任意の他の比較的硬い材料で構成されていてもよい。ビーズの集合体のテクスチャは、鋭利な突起を有する小さな尖った要素を含む粗面により提供されるテクスチャよりも印刷アーチファクトを低減することが分かった。特に、鋭利な突起は容易に印刷基材に貫入するか又は印刷基材を損傷し、ホットメルトインクの結晶化パターンを乱すことが分かった。
【００１３】
前記プリンタのさらなる実施形態では、前記ビーズの平均径は０．０５ｍｍ〜０．８ｍｍであり、より好ましくは０．１ｍｍ〜０．４ｍｍである。範囲の下限（例えば０．０５ｍｍ）は、ビーズの間の空間に汚染物質が充満することに恐らく起因してテクスチャの有益な効果が長期で見た場合失われるため制限させる。範囲の上限は、印刷アーチファクトが多かれ少なかれ顕在化することになるため制限される。範囲の上限はとりわけ印刷モード（高品質モード対高生産性モード）や印刷基材の選択により異なる。
【００１４】
前記プリンタの一実施形態では、前記供給ローラーは、前記印刷ステーションの印刷面上で前記基材を前記搬送方向に間欠的に送るように適合されている。
【００１５】
前記プリンタの一実施形態では、前記送り機構は複数の加圧ローラーを含み、該複数の加圧ローラーのそれぞれは、動作時に前記印刷基材の第２の面と回転接触するテクスチャ外面を有する。
【００１６】
本発明の他の態様では、インクジェット印刷装置においてホットメルトインクジェット画像を形成するための方法が提供される。当該方法は：供給ユニットから印刷ステーションに印刷基材を供給する工程；供給ローラーと加圧ローラーとの間のニップにより前記印刷基材を送る工程であって、前記加圧ローラーはテクスチャ外面を有し、該テクスチャは前記印刷基材の第２の面と回転接触し、前記外面のテクスチャは複数の突起部を備え、前記加圧ローラーのテクスチャ外面は球状セグメントの集合体を含み、該集合体における球状セグメントは互いに隣接して配置され、前記複数の突起部は前記球状セグメントの集合体の外面により提供される、工程；及び前記印刷基材の第２の面にインクジェット画像を提供する工程を含む。
【００１７】
前記印刷基材送り工程では、加圧ローラーは印刷基材の第２の面に侵入しないように適合されている。具体的には、加圧ローラーの複数の突起部は印刷基材送り工程の間に印刷基材の第２の面に侵入しないように適合されている。
【００１８】
本発明の他の態様では、ホットメルトインクジェット装置で用いる印刷基材の送り機構が提供される。当該送り機構は、前記印刷基材の第１の面と係合して前記印刷基材に駆動力を加えるための供給ローラーと、前記供給ローラーの反対側に配置された加圧ローラーであって、テクスチャ外面を有し、該テクスチャは動作時に前記印刷基材の第２の面と回転接触する、加圧ローラーと、を含み、前記外面のテクスチャは複数の突起部を備える。
【００１９】
前記送り機構の一実施形態では、前記供給ローラーは、印刷ステーションの印刷面上で前記基材を前記搬送方向に間欠的に送るように適合されており、前記印刷ステーションは前記送り機構の下流に配置されている。
【００２０】
本発明の他の態様では、印刷基材上のホットメルトインクの結晶化パターンを乱さないようにするための送り機構の使用が提供される。前記送り機構は、前記送り機構の下流で前記印刷基材に前記ホットメルトインクを印刷するように適合された印刷ステーションの上流で前記印刷基材を駆動するように適合されており、前記送り機構は、前記印刷基材の第１の面と係合して前記印刷基材に駆動力を加えるための供給ローラーと、前記供給ローラーの反対側に配置された加圧ローラーであって、テクスチャ外面を有し、該テクスチャは動作時に前記印刷基材の第２の面と回転接触する、加圧ローラーと、を含み、前記外面のテクスチャは複数の突起部を備える。
【００２１】
複数の突起部は印刷基材の第２の面に侵入しないように適合されている。送り機構の加圧ローラーの外面のテクスチャは、印刷基材上のホットメルトインクの結晶化パターンが乱されないようにするという利点がある。
【００２２】
特許文献１には、印刷されたばかりのペーパーウェブをガイドするために回転印刷機で用いるペーパーウェブガイドローラーが開示されている。特許文献１には、印刷されたばかりのペーパーウェブは、印刷されたばかりの表面がガイドローラーに接触するようにガイドされることが開示されている。ガイドローラーは、表面上にインクが堆積するのを防止するために使用される。
【００２３】
本明細書で使用のインクジェット画像を形成するためのプリンタは、インクが結晶化により固化するホットメルトインクジェットプリンタであってよく、放射線硬化性ホットメルトインクジェットプリンタであり得る。放射線硬化性ホットメルトインクは結晶化成分又はゲル化相形成成分を含み、放射線硬化性ホットメルトインクは、放射線硬化性ホットメルトインクの放射線硬化性成分を硬化することにより硬くなり得る。
【００２４】
以下で記載の詳細な説明から本発明の利用可能性のさらなる範囲が明らかになる。なお、下記の詳細な説明及び具体例は本発明の実施形態を示すものであるが、それらは一例として記載したものに過ぎない。何故なら、当業者にはこの詳細な説明から本発明の範囲内で様々な変更及び修正を加えることができることが明らかになるからである。
【図面の簡単な説明】
【００２５】
本発明は、以下に記載の詳細な説明及び添付の概略図からより完全に理解される。詳細な説明及び添付の図面は一例として示しているに過ぎず、そのため本発明を限定しない。
【図１Ａ】図１Ａは、大判インクジェットプリンタを用いて印刷が得られる画像形成装置を示す。
【図１Ｂ】図１Ｂは、インクジェット印刷アセンブリを示す。
【図２】図２は、本発明の一実施形態に係るプリンタの図である。
【図３Ａ】図３Ａは、本発明に係る加圧ローラーの一実施形態の断面を示す。
【図３Ｂ】図３Ｂは、図３Ａに示す加圧ローラーの外面層の部分Ｅの拡大図を示す。
【図４Ａ】図４Ａは、画像の参考光沢レベルを示すタイプＡの結晶サイズ分布を示す。
【図４Ｂ】図４Ｂは、画像の光沢が明らかに減少したタイプＣの結晶サイズ分布を示す。
【図４Ｃ】図４Ｃは、光沢レベルに対する影響が画像内で僅かに顕在化しているタイプＢの結晶サイズ分布を示す。
【発明を実施するための形態】
【００２６】
添付の図面を参照しながら以下本発明を説明する。なお、いくつかの図面を通して、同じ又は同様の要素を特定するのに同じ参照符号を使用している。
【００２７】
図１Ａは、大判インクジェットプリンタを用いて印刷が得られる画像形成装置１１を示す。大判画像形成装置１１は、印刷アセンブリ、例えば図１Ｂに示すインクジェット印刷アセンブリが配置される筐体１６を含む。画像形成装置１１は、画像受容部材１８、１９を格納する格納手段と、印刷後に画像受容部材１８、１９を回収する排紙ステーションと、マーキング材料の貯蔵手段１５とを含む。図１Ａでは、排紙ステーションは排紙トレイ１７として具現化されている。任意で、排紙ステーションは、印刷後に画像受容部材１８、１９を処理するための処理手段、例えば折機又はパンチャーを含んでいてもよい。大判画像形成装置１１は、プリントジョブを受信するための手段と、任意でプリントジョブを操作するための手段をさらに含む。これらの手段は、ユーザーインターフェースユニット１４及び／又は制御ユニット１３、例えばコンピュータを含み得る。
【００２８】
ロール１８、１９によって供給される画像受容部材、例えば紙に画像が印刷される。ロール１８はロール支持部Ｒ１で支持されているのに対して、ロール１９はロール支持部Ｒ２で支持されている。あるいは、画像受容部材のロール１８、１９の代わりに、画像受容部材のカットシートを用いてもよい。ロール１８、１９から切り落とされた印刷後の画像受容部材のシートは排紙トレイ１７に溜まる。
【００２９】
印刷アセンブリで用いるそれぞれのマーキング材料は４つの容器１５に貯蔵される。容器１５は、プリントヘッドにマーキング材料を供給するためにプリントヘッドとそれぞれ流体接続されるように構成されている。
【００３０】
ローカルユーザーインターフェースユニット１４はプリントエンジンと統合され、表示ユニット及び制御パネルを含み得る。あるいは、制御パネルは、例えばタッチスクリーン制御パネルの形で表示ユニットと統合されていてもよい。ローカルユーザーインターフェース１４は、印刷装置１１内に設置された制御ユニット１３に接続されている。例えばコンピュータである制御ユニット１３は、例えば印刷工程を制御するためにプリントエンジンにコマンドを出すように適合されたプロセッサを含む。画像形成装置１１は任意でネットワークＮに接続されていてもよい。ネットワークＮへの接続をケーブル１２の形で概略的に示しているが、係る接続は無線によるものであってもよい。画像形成装置１１は、ネットワークを介してプリントジョブを受信し得る。また、ＵＳＢポートを介してプリンタにプリントジョブが送信されるように、プリンタのコントローラは任意でＵＳＢポートを備えていてもよい。
【００３１】
図１Ｂはインクジェット印刷アセンブリ３を示す。インクジェット印刷アセンブリ３は、画像受容部材２を支持するための支持手段を含む。図１Ｂでは、支持手段としてプラテン１を示しているが、支持手段は代替的に平面であってもよい。図１Ｂに図示するプラテン１は、矢印Ａで示すように、その軸を中心に回転可能な回転ドラムである。支持手段は、支持手段に対して画像受容部材を固定位置で保持するための吸引孔を任意で備えていてもよい。インクジェット印刷アセンブリ３は、走査印刷キャリッジ５に搭載されたプリントヘッド４ａ〜４ｄを含む。走査印刷キャリッジ５は、好適なガイド手段６、７によってガイドされて、主走査方向Ｂに往復移動する。プリントヘッド４ａ〜４ｄのそれぞれはオリフィス面９を含み、オリフィス面９は少なくとも１つのオリフィス８を備えている。プリントヘッド４ａ〜４ｄは、画像受容部材２に対してマーキング材料の液滴を吐出するように構成されている。プラテン１、キャリッジ５及びプリントヘッド４ａ〜４ｄは、それぞれ好適な制御手段１０ａ、１０ｂ及び１０ｃによって制御される。
【００３２】
画像受容部材２はウェブ又はシート状の媒体であってもよく、例えば、紙、段ボール、ラベルシート、コート紙、プラスチック又は織物で構成され得る。あるいは、画像受容部材２は、エンドレス又は非エンドレスの中間部材であってもよい。循環的に動かされ得るエンドレス部材の例としては、ベルト又はドラムが挙げられる。画像受容部材２は、流体のマーキング材料を備える４つのプリントヘッド４ａ〜４ｄに沿って、プラテン１により副走査方向Ａに動かされる。
【００３３】
走査印刷キャリッジ５は４つのプリントヘッド４ａ〜４ｄを運び、画像受容部材２を主走査方向Ｂで走査できるように、プラテン１に対して平行な主走査方向Ｂに往復移動され得る。本発明を説明するために４つのプリントヘッド４ａ〜４ｄのみを図示している。実際には、任意数のプリントヘッドを用いてもよい。いずれにせよ、マーキング材料１色につき少なくとも１つのプリントヘッド４ａ〜４ｄが走査印刷キャリッジ５に配置される。例えば、白黒プリンタの場合では、一般に黒色のマーキング材料を含む少なくとも１つのプリントヘッド４ａ〜４ｄが存在する。あるいは、白黒プリンタは、黒色の画像受容部材２に適用される白色のマーキング材料を含んでもよい。複数の色を含むフルカラープリンタの場合では、各色（通例、黒、シアン、マゼンタ及び黄色）につき少なくとも１つのプリントヘッド４ａ〜４ｄが存在する。フルカラープリンタでは、黒色のマーキング材料は他の色のマーキング材料に比べて頻繁に使用されることが多い。そのため、黒色のマーキング材料を含むプリントヘッド４ａ〜４ｄを、他の色のマーキング材料を含むプリントヘッド４ａ〜４ｄよりも多く走査印刷キャリッジ５に設けてもよい。あるいは、黒色のマーキング材料を含むプリントヘッド４ａ〜４ｄは、別の色のマーキング材料を含むプリントヘッド４ａ〜４ｄよりも大きくてもよい。
【００３４】
キャリッジ５はガイド手段６、７によってガイドされる。これらのガイド手段６、７は、図１Ｂに示すようにロッドであり得る。これらのロッドは、好適な駆動手段（図示せず）によって駆動され得る。あるいは、キャリッジ５は、他のガイド手段、例えばキャリッジ５を移動させることが可能なアームによってガイドされてもよい。他の代替案としては、画像受容部材２を主走査方向Ｂに動かすことが挙げられる。
【００３５】
各プリントヘッド４ａ〜４ｄは、少なくとも１つのオリフィス８を有するオリフィス面９を含む。少なくとも１つのオリフィス８は、プリントヘッド４ａ〜４ｄ内に設けられた、流体のマーキング材料を含む圧力室と流体連通されている。オリフィス面９には、複数のオリフィス８が副走査方向Ａに対して平行に一直線に並んでいる。図１Ｂでは、プリントヘッド４ａ〜４ｄにつき８つのオリフィス８を図示しているが、実際の実施形態では、プリントヘッド４ａ〜４につき数百のオリフィス８が設けられ、任意でそれらが複数の列に並び得ることが分かる。図１Ｂに図示するように、プリントヘッド４ａ〜４ｄのそれぞれは、プリントヘッド４ａ〜４ｄのそれぞれに対応するオリフィス８が主走査方向Ｂにおいて一列に並んで配置されるように、互いに平行に配置されている。これは、最大で４つのオリフィス８（それぞれが別々のプリントヘッド４ａ〜４ｄの一部を成している）を選択的に作動させることで、主走査方向Ｂに線状に並んだ画像ドットが形成され得ることを意味する。この、プリントヘッド４ａ〜４ｄを平行に配列し、それに対応してオリフィス８を一列に並べる構成は、生産性の向上及び／又は印刷品質の改善にとって有利である。あるいは、プリントヘッド４ａ〜４ｄのそれぞれのオリフィス８が、一列ではなくジグザグ状（staggered configuration）に配置されるように、複数のプリントヘッド４ａ〜４ｄを印刷キャリッジ上に隣接配置してもよい。例えば、これは、印刷解像度を高めるか又は有効印刷領域を拡大するために行われ得る（主走査方向に一回走査することで対処され得る）。オリフィス８からマーキング材料の液滴を吐出することによって画像ドットが形成される。
【００３６】
マーキング材料を吐出する際、マーキング材料の一部がこぼれてプリントヘッド４ａ〜４ｄのオリフィス面９に残留することがある。オリフィス面９上に存在するインクは、液滴の吐出及びこれらの液滴を画像受容部材２に配置する上で悪影響を及ぼすことがある。従って、過剰なインクをオリフィス面９から取り除くことが有利であり得る。過剰なインクは、例えばワイパーで拭き取ること及び／又は例えばコーティングによってもたらされる表面の好適な抗濡れ性により取り除かれ得る。
【００３７】
図２は、本発明の一実施形態に係るプリンタの図である。図２に示すプリンタは、供給ユニット２０、搬送ユニット６０及び印刷ステーション８０を含む。供給ユニット２０は印刷用の基材１８を保管及び配送する役割を果たす。搬送ユニット６０は供給ユニット２０から印刷ステーション８０に基材１８を搬送し、印刷ステーション内の印刷領域に基材を正確に配置することも行う。本実施形態では、印刷ステーション８０はプリントヘッド４を含む従来のインクジェットエンジンである。プリントヘッド４は、印刷面８２の上に配置され、印刷面８２上の基材１８に亘り図２の紙面に垂直な方向に行き来するように構成されている。プリントヘッド４は印刷範囲が限られているため、別々のサブ画像で基材上に画像を印刷する必要がある。そのために、基材１８が断続的に送られ、２つの後続の基材送り工程の間毎にサブ画像又はスワスが印刷される。印刷面８２上で基材１８が送られる移動量は、サブ画像同士が厳密に隣接するように正確に制御される。
【００３８】
図示の例では、基材１８は供給ユニット２０内で回転可能に支持されたロール２２からくる。基材１８は、ロール２２に巻かれた例えば長さ１５０ｍのウェブの形状を有する。図示の例では、プリンタは大判プリンタであり、ウェブの幅はＡ０サイズのドキュメントの短い方の辺に対応する。一対の駆動ローラー２４はロール２２から基材１８を引き出す役割を果たす。ロールから引き出されたウェブは偏向ローラー（deflection  roller）２６を通過し、搬送ユニット６０の方に繰り出される。
【００３９】
搬送ユニット６０内では、ウェブ型の印刷基材が第１の供給ユニットを形成する一対のローラー２８の間のニップを通過し、ガイド部材３０で偏向され、そして駆動供給ローラー３２及び加圧ローラー３４を含む第２の供給ユニットの供給ニップの方に送られる。駆動供給ローラー３２は、印刷面８２上で基材１８が送られる移動量の大きさを制御する。
【００４０】
上流側で基材１８の供給ローラー３２と隣接する部分は、ガイド部材３０により、互いに角度を形成する２つの下位部位３６ａ、３６ｂに分けられる。ローラー又は固定部材であり得るガイド部材３０は、下位部位３６ａ、３６ｂの間の角度を二分する軸Ａに沿って移動可能であり、ガイド部材は矢印Ｂが示す方向に弾性付勢されているため、基材の部位３６ａ、３６ｂは所定の張力を受けて保持される。そのため、可動ガイド部材３０及びそのガイド及び付勢機構は張力機構３８としての役割を果たす。図１では、ガイド部材３０の弾性付勢は圧縮バネ４０によって表される。
【００４１】
一方で、基材１８は供給ローラー３２により断続的に送られ、他方で供給ユニット２０内のロール２２は大きな慣性モーメントを有し得るため、それらを加速及び減速するには大きな力が必要になることに鑑み、搬送ユニット６０の張力機構３８の機能の１つはウェブの供給経路内にバッファーを提供し、断続的な緊張（successive  strains）からウェブを保護することである。バッファー作用は、例えば次のようして得られる。供給ローラー３２が停止すると、ガイド部材３０は図１に破線で示す伸展位置にあるため、基材の部位３６ａ、３６ｂの長さが比較的長くなる。そして、新たな送り工程が始まると、供給ローラー３２は比較的大きな加速度で回転を開始するのに対して、ローラー対２４及び２８はそれよりも小さい加速度でウェブを加速させる。その結果、基材の部位３６ａ、３６ｂの長さの一部が消費され、ガイド部材３０はバネ４０の付勢力に抗して図２の実線が示す位置の方に移動する。反対に、送り工程の最後では、供給ローラー３２は比較的急に止まるのに対して、ローラー対２４及び２８は緩やかな減速度でウェブを減速する。その結果、ガイド部材３０は、基材の部位３６ａ、３６ｂのあり得る緩みを解消するために破線で示す位置の方に戻る。
【００４２】
本発明では、加圧ローラー３４はテクスチャ外面を有し、係る外面は印刷基材の第２の面と回転接触する。図３Ａに本発明に係る加圧ローラーの一実施形態の断面を示す。加圧ローラー３４は、ベースローラー４２及び外面層４４（又はフィルム）を含む。ベースローラー４２は回転自在に軸４３の周りに取り付けられている。外面層４４はガラスビーズの集合体５６を含む。
【００４３】
図３Ｂは、図３Ａに示す加圧ローラーの外面層の部分Ｅの拡大図を示す。各ガラスビーズ５８は実質的に球状である。ガラスビーズ５８の直径を矢印ｂで示す。集合体４６におけるビーズは互いに隣接して配置されており、マトリックス状の高密度パッキングを有する単一のビーズ層を形成している。各ビーズ５８は印刷基材と接触する小さな接触領域を提供する。隣接する接触領域間の距離を概略的に矢印ｃで示す。ビーズの集合体５６は、実質的にガラスビーズ５８の外面と等角の単層コーティング５０で被覆されているか又は多層コーティング構造体で被覆されている。単層コーティング５０は、シリコンコーティング、接着剤コーティング又はガラスビーズ５８をビーズの集合体５６内で維持するのに適した他の任意のコーティングである。多層コーティング構造体（図示せず）はシリコンコーティング、好ましくはシリコントップコーティング、接着剤コーティング及び任意でシリコントップコーティングを接着剤コーティングに接着するためのプライマーコーティングを含む。これらのコーティングのうちの何れかが任意で耐インク及び／又は耐油層を提供してもよい。ビーズの集合体５６は、ビーズ５８への接着を提供するベース層５２に埋め込まれている。各ビーズ５８は、矢印ｄで示す距離に亘ってベース層５２から突き出た突起部を提供する。ベース層５２はさらに表面層４４に対して柔軟性を提供する。これは、ベースローラー３４の外面に適用する際に、例えば表面層４４がフィルムの形で扱われる場合に有用である。
【００４４】
ガラスビーズの集合体５６におけるガラスビーズ５８の平均径は０．０５ｍｍ〜０．８ｍｍである。表１は、加圧ローラーが接触した領域内のホットメルトインク画像の結晶サイズ分布に対してガラスビーズの平均径がどのように影響を及ぼすかを示す。インクジェット画像のある領域について、参考光沢度を図４Ａに示す結晶サイズ分布で示す。その印刷基材の領域は加圧ローラー３４に接触されていない。結晶サイズ分布は結晶サイズが約０．１ｍｍの所で対称になっている（タイプＡ）。
【００４５】
加圧ローラー３４が滑らかな外面を有する場合、結晶サイズ分布は図４Ｂに示すように非対称であり、結晶サイズが最大で０．３ｍｍの大きな結晶が形成される（タイプＣ）。画像の光沢が明らかに減少する。ガラスビーズのサイズが０．１ｍｍ〜０．４ｍｍの場合、結晶サイズ分布は加圧ローラー３４の影響を受けず、図４Ａに示す対称分布と同様になる（タイプＡ）。光沢マークに対する影響は見られない。ガラスビーズのサイズが０．０５ｍｍ前後又は０．８ｍｍ前後の場合、結晶サイズ分布は加圧ローラー３４の影響を僅かに受けるようになる（タイプＢ）。この場合、結晶サイズ分布は僅かに非対称となり、図４Ｃに示すように一部の結晶のサイズが０．１５ｍｍよりも大きくなる。光沢度に対する影響も僅かに明らかになる。
【００４６】
【表１】
2015535208.tif 000003
ガラスビーズは印刷基材と接触する規定の接触領域を提供する。ガラスビーズは印刷基材の表面への貫入も防止する。当業者であれば、本発明で開示したものと同様の好適なテクスチャ外面を提供し得る類似の球形及び／又は球状のセグメントを容易に考え得る。
【００４７】
本発明の詳細な実施形態を本明細書で開示してきたが、開示した実施形態は、様々な形で実施可能な本発明の例示に過ぎないことが分かる。従って、本明細書で開示した具体的な構造及び機能についての詳細を限定的に解釈するのではなく、請求項の根拠として及び事実上適切な全ての詳細構造において本発明を様々な形で用いるのを当業者に教示するための例示的根拠として解釈すべきである。特に、別々の従属項で提示及び記載の特徴は組み合わせで適用され得る。そのような請求項の任意の有利な組み合わせがここに開示される。
【００４８】
また、本明細書で使用の用語及び表現は限定を意図したものではなく、むしろ本発明の理解可能な説明を提供するために用いたものである。本明細書で使用の「ａ」又は「ａｎ」は１つ以上と定義される。本明細書で使用の複数という用語は２つ以上と定義される。本明細書で使用の他のという用語は、少なくとも第２以上と定義される。本明細書で使用の含有する及び／又は有するという用語は、含む（即ち、オープンランゲージ）を意味すると定義される。本明細書で使用の連結されたという用語は、必ずしも直接的ではないが接続されていることと定義される。
【００４９】
本発明を説明してきたが、本発明は多くの方法で変更され得ることが明らかである。そのような変更は本発明の精神及び範囲からの逸脱と見做すべきではなく、そのような変更の全ては、当業者には明らかなように下記の請求項の範囲に含まれる。
【図１Ａ】
2015535208.tif 000004
【図１Ｂ】
2015535208.tif 000005
【図２】
2015535208.tif 000006
【図３Ａ】
2015535208.tif 000007
【図３Ｂ】
2015535208.tif 000008
【図４Ａ】
2015535208.tif 000009
【図４Ｂ】
2015535208.tif 000010
【図４Ｃ】
2015535208.tif 000011
【手続補正書】
【提出日】平成27年7月3日(2015.7.3)
【手続補正１】
【補正対象書類名】特許請求の範囲
【補正対象項目名】全文
【補正方法】変更
【補正の内容】
【特許請求の範囲】
【請求項１】
印刷基材を搬送方向に動かすための送り機構を有する、インクジェット画像を形成するためのプリンタであって、
前記送り機構は、前記印刷基材の第１の面と係合して前記印刷基材に駆動力を加えるための供給ローラーと、該供給ローラーの反対側に配置された加圧ローラーであって、テクスチャ外面を有し、該テクスチャは動作時に前記印刷基材の第２の面と回転接触する、加圧ローラーと、を含み、
前記外面のテクスチャは複数の突起部を備え、
前記加圧ローラーのテクスチャ外面は球状セグメントの集合体を含み、該集合体における球状セグメントは互いに隣接して配置され、
前記複数の突起部は前記球状セグメントの集合体の外面により提供され、
前記プリンタは、前記印刷基材の第２の面にインクジェット画像を提供するための印刷ステーションをさらに含み、該印刷ステーションは前記送り機構の下流に配置されている、プリンタ。
【請求項２】
前記プリンタはホットメルトインクジェットプリンタである、請求項１に記載のプリンタ。
【請求項３】
前記加圧ローラーはフィルムを含み、該フィルムは前記テクスチャ外面を提供する、請求項１に記載のプリンタ。
【請求項４】
前記加圧ローラーのテクスチャ外面はビーズの集合体を含み、該ビーズのそれぞれは実質的に球状であり、前記集合体におけるビーズは互いに隣接して配置され、前記複数の突起部は前記ビーズの集合体の外面により提供される、請求項１に記載のプリンタ。
【請求項５】
前記ビーズの平均径は０．０５ｍｍ〜０．８ｍｍであり、より好ましくは０．１ｍｍ〜０．４ｍｍである、請求項４に記載のプリンタ。
【請求項６】
前記供給ローラーは、前記印刷ステーションの印刷面上で前記基材を前記搬送方向に間欠的に送るように適合されている、請求項１に記載のプリンタ。
【請求項７】
前記送り機構は複数の加圧ローラーを含み、該複数の加圧ローラーのそれぞれは、動作時に前記印刷基材の第２の面と回転接触するテクスチャ外面を有する、請求項１に記載のプリンタ。
【請求項８】
ホットメルトインクジェット印刷装置においてインクジェット画像を形成するための方法であって、
ａ）供給ユニットから印刷ステーションに印刷基材を供給する工程と、
ｂ）供給ローラーと加圧ローラーとの間のニップにより前記印刷基材を送る工程であって、前記加圧ローラーはテクスチャ外面を有し、該テクスチャは前記印刷基材の第２の面と回転接触し、前記外面のテクスチャは複数の突起部を備え、前記加圧ローラーのテクスチャ外面は球状セグメントの集合体を含み、該集合体における球状セグメントは互いに隣接して配置され、前記複数の突起部は前記球状セグメントの集合体の外面により提供される、工程と、
ｃ）前記供給ローラーと前記加圧ローラーとの間のニップの下流で前記印刷基材の第２の面にインクジェット画像を提供する工程と、
を含む方法。
【請求項９】
ホットメルトインクジェット装置で用いる印刷基材の送り機構であって、当該送り機構は、
前記印刷基材の第１の面と係合して前記印刷基材に駆動力を加えるための供給ローラーと、
前記供給ローラーの反対側に配置された加圧ローラーであって、テクスチャ外面を有し、該テクスチャは動作時に前記印刷基材の第２の面と回転接触する、加圧ローラーと、
を含み、
前記外面のテクスチャは複数の突起部を備え、
前記加圧ローラーのテクスチャ外面は球状セグメントの集合体を含み、該集合体における球状セグメントは互いに隣接して配置され、
前記複数の突起部は前記球状セグメントの集合体の外面により提供される、送り機構。
【請求項１０】
前記供給ローラーは、印刷ステーションの印刷面上で前記基材を前記搬送方向に間欠的に送るように適合され、前記印刷ステーションは前記送り機構の下流に配置されている、請求項９に記載の送り機構。
【請求項１１】
印刷基材上のホットメルトインクの結晶化パターンを乱さないようにするための送り機構の使用であって、
前記送り機構は、前記送り機構の下流で前記印刷基材の第２の面に前記ホットメルトインクを印刷するように適合された印刷ステーションの上流で前記印刷基材を駆動するように適合されており、
前記送り機構は、前記印刷基材の第１の面と係合して前記印刷基材に駆動力を加えるための供給ローラーと、前記供給ローラーの反対側に配置された加圧ローラーであって、テクスチャ外面を有し、該テクスチャは動作時に前記印刷基材の第２の面と回転接触する、加圧ローラーと、を含み、
前記外面のテクスチャは複数の突起部を備える、使用。
【国際調査報告】
2015535208.tif 000012
2015535208.tif 000013